(57)【要約】【課題】  複数のアンテナを備えたアレーアンテナ送信装置に関し、回路規模を増大することなくキャリブレーション校正を可能とする。【解決手段】  複数のアンテナ０，１，２対応の送信無線回路１６と、キャリブレーション信号を生成するキャリブレーション信号生成回路２３と、キャリブレーション信号を送信信号に対して異なる時間位置に加算するキャリブレーション加算回路１４と、送信無線回路１６の出力信号を一部分岐して多重化する多重回路１８と、多重化された信号を入力して復調する受信無線回路１９と、復調出力信号からアンテナ対応のキャリブレーション信号を抽出するキャリブレーション信号抽出回路２４と、抽出キャリブレーション信号を基に、送信無線回路１６を含む送信経路の位相回転量を求める位相誤差検出回路２５と、その位相回転量を基に、送信無線回路１６に入力する送信信号に乗算して位相補正する位相補正回路１３とを備えている。【選択図】      図１
2006174333.tif 000002
【特許請求の範囲】
【請求項１】
複数のアンテナ対応の送信無線回路を有し、前記複数のアンテナによる送信指向性を制御可能としたアレーアンテナ送信装置に於いて、
キャリブレーション信号を生成するキャリブレーション信号生成回路と、
該キャリブレーション信号生成回路からのキャリブレーション信号を、前記アンテナ対応の前記送信無線回路に入力する送信信号に対して異なる時間位置に加算するキャリブレーション加算回路と、
前記送信無線回路の出力信号を一部分岐して多重化する多重回路と、
該多重回路により多重化された信号を入力して復調する受信無線回路と、
該受信無線回路の復調出力信号から前記アンテナ対応のキャリブレーション信号を抽出するキャリブレーション信号抽出回路と、
該キャリブレーション信号抽出回路により抽出した前記アンテナ対応のキャリブレーション信号を基に前記送信無線回路を含む送信経路の位相回転量を求める位相誤差検出回路と、
該位相誤差検出回路により求めた前記位相回転量を基に前記送信無線回路に入力する送信信号に乗算して位相補正する位相補正回路と
を備えたことを特徴とするアレーアンテナ送信装置。
【請求項２】
前記キャリブレーション信号生成回路からのキャリブレーション信号を、前記アンテナ対応の送信無線回路に入力する送信信号に対してそれぞれ異なる遅延時間となるように遅延させて、前記キャリブレーション信号加算回路に入力する遅延回路を備えたことを特徴とする請求項１記載のアレーアンテナ送信装置。
【請求項３】
前記アンテナ対応の送信無線回路に入力する送信信号の送信レベルを監視する送信レベル監視回路と、該送信レベル監視回路による送信レベルに対応した拡散符号長を求めて前記キャリブレーション信号生成回路の既知の送信情報シンボルを拡散符号化する拡散符号を制御する拡散長算出回路とを備えたことを特徴とする請求項１又は２記載のアレーアンテナ送信装置。
【請求項４】
前記アンテナ対応の送信無線回路に入力する送信信号の送信レベルを監視する送信レベル監視回路と、該送信レベル監視回路による送信レベルに対応したキャリブレーション信号の振幅値となるように制御する振幅値算出回路とを備えたことを特徴とする請求項１又は２記載のアレーアンテナ送信装置。
【請求項５】
前記アンテナ対応の送信無線回路の位相誤差を監視し、予め設定した位相誤差増加の条件となったことを検出して、前記キャリブレーション信号生成回路を起動して、キャリブレーション処理を実行させるキャリブレーション誤差監視部を備えたことを特徴とする請求項１乃至４の何れか１項記載のアレーアンテナ送信装置。
【発明の詳細な説明】
【技術分野】
【０００１】
本発明は、複数のアンテナにより構成され、送信指向性を制御できるアレーアンテナ送信装置に関する。
【背景技術】
【０００２】
複数のアンテナにより構成されたアレーアンテナ送信装置は、アンテナ対応に送信信号の位相、振幅を制御することによって、送信指向性を設定することができるものであり、移動無線システムに於いては、基地局から移動局の方向に送信指向性を設定することにより、効率のよい通信が可能となる。その場合の送信信号の位相、振幅を、無線送信部の前段のベースバンド処理部等に於いてアンテナ対応に制御しても、実際の無線送信部に於ける特性がアンテナ対応に同一であるとは限らないと共に、経年変化により特性が変化する場合もある。
【０００３】
そこで、アンテナに入力する信号を復調して、希望方向の送信指向性を得る為に設定した信号位相や振幅が正しく設定されているか否かを判定する為のアレーアンテナ校正手段も提案されている。又変調方式や多重化方式等の無線通信方式に従って、送信信号の位相、振幅の設定手段も相違することになるが、例えば、ＣＤＭＡ（Ｃｏｄｅ  Ｄｉｖｉｓｉｏｎ  Ｍｕｌｔｉｐｌｅ  Ａｃｃｅｓｓ；符号分割多重アクセス）方式に適用し、且つアレイアンテナ校正手段を適用したアレーアンテナ送信装置が提案されている（例えば、特許文献１参照）。
【０００４】
このアレーアンテナ送信装置は、通信に使用する拡散信号と同じ帯域幅のキャリブレーション信号を送信無線回路に入力し、その送信無線回路からアンテナに入力する送信信号を加算手段により加算して、受信無線回路に入力し、送信無線回路対応に分離してそれぞれ復調することにより、各送信無線回路の位相特性のばらつきを求め、そのばらつきを補正する逆特性値を送信信号に乗算して、送信無線回路に入力する構成を有するものである。従って、キャリブレーション信号を、アンテナ対応の送信無線回路に同時に入力するものであるから、それぞれのキャリブレーション信号の拡散コードは、異なる拡散符号を用いることになり、又アンテナ対応の送信信号を無線受信回路に入力して、アンテナ対応の送信信号を同時に復調するものであるから、復調回路は、無線送信回路対応に設けることになる。
【特許文献１】特開平１０−３３６１４９号公報
【発明の開示】
【発明が解決しようとする課題】
【０００５】
アレーアンテナ送信装置は、前述のように、アンテナ対応の回路素子等の特性のばらつき等を補正する為に、キャリブレーション信号を入力して誤差分を求めることにより、その誤差を補正する処理を行うものであり、前述のＣＤＭＡ方式を適用した従来例に於いては、次のような問題点がある。即ち、
（１）．それぞれのアンテナ対応の送信情報シンボル信号に、それぞれ異なる拡散符号を乗算してキャリブレーション信号を生成し、アンテナ対応の送信無線回路に入力し、各送信無線回路に於ける位相回転量を求める為の復調回路が、送信無線回路の数だけ必要となるから、アレーアンテナ送信装置としての回路規模が大きくなる問題がある。又拡散符号数は有限であるから、キャリブレーション用に多数の拡散符号を使用すると、ユーザーの送信信号を拡散して送信する為に使用できる拡散符号数が減少し、従って、システムに収容可能のユーザー数が減少する問題がある。
【０００６】
（２）．キャリブレーション信号のレベル（Ｓ）と送信信号の信号レベル（Ｉ）の比ＳＩＲ（Ｓｉｇｎａｌ  ｔｏ  Ｉｎｔｅｒｆｅｒｅｎｃｅ  Ｒａｔｉｏ）が一定になるような制御を行っていない為、キャリブレーション信号レベルに対して送信信号レベルが大きい場合、キャリブレーションの精度が劣化する問題がある。又送信信号レベルがキャリブレーション信号レベルに対して小さいと、キャリブレーション信号が送信信号に対して干渉することになり、通信品質の劣化を招く問題がある。
【０００７】
本発明は、前述の従来例の問題点を解決するものであり、回路規模を大きくすることなく、アレーアンテナの校正を可能とすることを目的とする。
【課題を解決するための手段】
【０００８】
本発明のアレーアンテナ送信装置は、複数のアンテナ対応の送信無線回路を有し、前記複数のアンテナによる送信指向性を制御可能としたアレーアンテナ送信装置に於いて、キャリブレーション信号を生成するキャリブレーション信号生成回路と、このキャリブレーション信号生成回路からのキャリブレーション信号を、複数のアンテナ対応の送信無線回路に入力する送信信号に対して異なる時間位置に加算するキャリブレーション加算回路と、送信無線回路の出力信号を一部分岐して多重化する多重回路と、この多重回路により多重化された信号を入力して復調する受信無線回路と、この受信無線回路の復調出力信号から、アンテナ対応のキャリブレーション信号を抽出するキャリブレーション信号抽出回路と、このキャリブレーション信号抽出回路により抽出したアンテナ対応のキャリブレーション信号を基に、送信無線回路を含む送信経路の位相回転量を求める位相誤差検出回路と、この位相誤差検出回路により求めた位相回転量を基に、送信無線回路に入力する送信信号に乗算して位相補正する位相補正回路とを備えている。
【０００９】
又キャリブレーション信号生成回路からのキャリブレーション信号を、アンテナ対応の送信無線回路に入力する送信信号に対してそれぞれ異なる遅延時間となるように遅延させて、キャリブレーション信号加算回路に入力する遅延回路を備えることができる。
【００１０】
又アンテナ対応の送信無線回路に入力する送信信号の送信レベルを監視する送信レベル監視回路と、この送信レベル監視回路による送信レベルに対応した拡散符号長を求めて、キャリブレーション信号生成回路の既知の送信情報シンボルを拡散符号化する拡散符号を制御する拡散長算出回路とを備えることができる。
【００１１】
又アンテナ対応の送信無線回路に入力する送信信号の送信レベルを監視する送信レベル監視回路と、この送信レベル監視回路による送信レベルに対応したキャリブレーション信号の振幅値となるように制御する振幅値算出回路とを備えることができる。
【００１２】
又アンテナ対応の送信無線回路の位相誤差を監視し、予め設定した位相誤差増加の条件となったことを検出して、キャリブレーション信号生成回路を起動して、キャリブレーション処理を実行させるキャリブレーション誤差監視部を備えることができる。
【発明の効果】
【００１３】
キャリブレーション信号を、アンテナ対応の送信無線回路に入力する送信信号に対してそれぞれ時間位置が異なるように加算することにより、送信無線回路の出力信号を一部分岐して多重化して受信無線回路に入力すると、アンテナ対応のキャリブレーション信号は時間多重された状態となるから、キャリブレーション信号の復調回路は１個で済むことになり、アンテナ数を増加してもコストアップとなることがない利点がある。又送信信号のレベル検出により、キャリブレーション信号の振幅又は拡散符号長を、キャリブレーション信号と送信信号とのＳＩＲが一定となるように制御することができるから、キャリブレーションの精度を維持できる利点がある。従って、前述の従来例の問題点（１），（２）を解決することができる。
【発明を実施するための最良の形態】
【００１４】
本発明のアレーアンテナ送信装置は、図１を参照して説明すると、複数のアンテナ０，１，２対応の送信無線回路１６を有し、複数のアンテナ０，１，２による送信指向性を制御可能としたアレーアンテナ送信装置であって、キャリブレーション信号を生成するキャリブレーション信号生成回路２３と、このキャリブレーション信号生成回路２３からのキャリブレーション信号を、複数のアンテナ０，１，２対応の送信無線回路１６に入力する送信信号に対して異なる時間位置に加算するキャリブレーション加算回路１４と、送信無線回路１６の出力信号を一部分岐して多重化する多重回路１８と、この多重回路１８により多重化された信号を入力して復調する受信無線回路１９と、この受信無線回路１９の復調出力信号から、アンテナ０，１，２対応のキャリブレーション信号を抽出するキャリブレーション信号抽出回路２４と、このキャリブレーション信号抽出回路２４により抽出したアンテナ対応のキャリブレーション信号を基に、送信無線回路１６を含む送信経路の位相回転量を求める位相誤差検出回路２５と、この位相誤差検出回路２５により求めた位相回転量を基に、送信無線回路１６に入力する送信信号に乗算して位相補正する位相補正回路１３とを備えている。
【実施例１】
【００１５】
図１は、本発明の実施例１の説明図であり、アンテナ数３のアレーアンテナ送信装置の要部を示すもので、０，１，２はアンテナ、１０はユーザー対応のユーザー信号生成部、１１はディジタルビームフォーマ（ＤＢＦ）、１２はアンテナ０，１，２対応のユーサー信号多重部、１３は複素乗算器を有する位相補正回路、１４は加算器を有するキャリブレーション信号加算部、１５はディジタル信号をアナログ信号に変換するＤＡ変換器、１６はアンテナ０，１，２対応の送信無線回路、１７は送信信号を分岐するディレクショナルカプラ、１８は多重回路、１９は受信無線回路、２０はアナログ信号をディジタル信号に変換するＡＤ変換器、２１はスケジューラー、２２は切替回路（ＳＷ）、２３はキャリブレーション信号生成回路、２４はキャリブレーション信号抽出回路、２５は位相誤差検出回路を示す。
【００１６】
ユーザー信号生成部１０からのユーザー対応の信号を、ディジタルビームフォーマ１１により重み付け処理し、ユーザー信号多重部１２により、アンテナ０，１，２対応に、複数のユーザー対応の信号の多重化を行い、位相補正回路１３に入力する。キャリブレーション信号生成回路２３は、既知の送信情報シンボルに拡散符号を乗算して拡散処理したキャリブレーション信号を生成するものであり、生成したキャリブレーション信号を、切替回路２２を介してキャリブレーション信号加算回路１４に入力する。このキャリブレーション信号加算回路１４は、位相補正回路１３からのアンテナ０，１，２対応の信号に、キャリブレーション信号をそれぞれ異なる時間位置に於いて加算し、ＤＡ変換器１５によりアナログ信号に変換し、送信無線回路１６により無線周波数の信号に変調して、ディレクショナルカプラ１７を介してアンテナ０，１，２から送信する。
【００１７】
又送信無線回路１６の出力の無線周波数信号の一部を、ディレクショナルカプラ１７により分岐し、時分割的に送信信号に加算したキャリブレーション信号を多重回路１８により時間多重化して、受信無線回路１９に入力する。この受信無線回路１９は１個の復調回路を含む構成を有するものであり、アンテナ０，１，２対応のキャリブレーション信号を時分割的に復調して、ＡＤ変換器２０によりディジタル信号に変換し、キャリブレーション信号抽出回路２４に入力する。又スケジューラー２１は、切替回路２２と位相差検出回路２５とをキャリブレーションのスケジュールに従って制御し、キャリブレーション信号生成部２３からのキャリブレーション信号を、切替回路２２により送信信号に対して異なる時間位置に、キャリブレーション信号加算回路１４のアンテナ０，１，２対応の加算器によって加算する。
【００１８】
この切替回路２２の切替制御に対応して、位相誤差検出回路２５を制御し、キャリブレーション信号を加算した送信経路の位相誤差を検出することにより、位相誤差を補正する信号（複素信号）を、位相補正回路１３のアンテナ０，１，２対応の複素乗算器に入力する。それにより、アンテナ０，１，２対応の送信無線回路１６の位相誤差成分を打ち消すように予め処理することができるから、アレーアンテナによる送信指向性を希望方向とすることができる。この場合、キャリブレーション信号生成回路２３により生成されたキャリブレーション信号に対して、その振幅を調整する振幅調整回路（図示を省略）を設け、キャリブレーション信号と送信信号とによるＳＩＲが一定となるように制御することができる。又アンテナ数３の場合を示しているが、更に多数のアンテナを設けることも可能であり、各部は、そのアンテナ数に対応した構成とするものである。
【００１９】
前述の構成により、キャリブレーション信号を、アンテナ０，１，２対応の送信無線回路１６に対して時分割的に入力するから、受信無線回路１９に対して、キャリブレーション信号を含む送信信号は、時分割で入力されることになり、従って、キャリブレーション信号を復調する為の復調回路は、１個で済むことになる。このキャリブレーション信号の復調出力信号を基に、アンテナ０，１，２対応の送信無線回路１６に於ける位相回転量をそれぞれ検出することができる。
【００２０】
図２は、キャリブレーション処理の説明図であり、図１に示す構成によるアレイアンテナ校正処理について示すもので、同図の（ａ）〜（ｄ）は、キャリブレーション信号生成と送信信号に対しての加算処理を示し、又（ｅ）〜（ｇ）はキャリブレーション信号抽出処理を示し、又（ｈ），（ｉ）は位相検出処理を示す。キャリブレーション信号生成回路２３から既知の送信情報シンボルに拡散符号を乗算して拡散変調したキャリブレーション信号ＣａｌＳｉｇ０，ＣａｌＳｉｇ１，ＣａｌＳｉｇ２が、（ａ）に示すように生成され、切替回路２２により所定の時間順序に従って選択されて、キャリブレーション信号加算回路１４に入力され、アンテナ０，１，２対応の加算器に、（ｂ），（ｃ），（ｄ）に示すように入力される。この場合の拡散符号は、アンテナ０，１，２対応に相違させることなく、同一としても、時間軸上に異なる位置のキャリブレーション信号となるから、次に説明するようにアンテナ０，１，２対応に位相誤差を検出することができる。
【００２１】
前述のキャリブレーション信号生成回路２３からのキャリブレーション信号が、アンテナ０，１，２対応の送信無線回路１６や受信無線回路１９を含むフィードバックループのループ遅延後に、（ｅ）に示すキャリブレーション信号ＣａｌＳｉｇ０，ＣａｌＳｉｇ１，ＣａｌＳｉｇ２として、キャリブレーション信号抽出回路２４に入力されることになり、（ｆ）に示すキャリブレーション信号抽出用拡散符号により逆拡散処理して、（ｇ）に示す送信シンボルＳｙｍｂｏｌ０，Ｓｙｍｂｏｌ１，Ｓｙｍｂｏｌ２とし、（ｈ）に示すように、位相誤差検出回路２５に於いて送信シンボルＳｙｍｂｏｌ０，Ｓｙｍｂｏｌ１による位相誤差検出及び送信シンボルＳｙｍｂｏｌ０，Ｓｙｍｂｏｌ２による位相誤差検出を行い、例えば、アンテナ０の系統を基準とすると、アンテナ１，２の系統の位相誤差に対応したキャリブレーションウェイトＷ１０，Ｗ２０を求める。又（ｉ）は、位相検出処理のキャリブレーションウェイトタイミングを示す。
【００２２】
前述の位相誤差検出回路２５により検出された位相誤差検出信号を、位相補正回路１３に入力してアンテナ０，１，２対応の送信信号の位相を補正することにより、送信無線回路１６等に於ける特性のばらつきを補正して、複数のアンテナ０，１，２を用いたアレーアンテナによる所望の送信指向性を得ることができる。又キャリブレーション信号を時分割で送信信号に加算して補正値を求めるものであるから、前述のように、キャリブレーション信号を復調する為の構成は、アンテナ数が増加した場合でも１個で済むことになり、経済的な構成となる。又Ｗ−ＣＤＭＡ方式に適用した場合の拡散符号は、アンテナ数に関係なく、単一種類或いは数種類とすることが可能となり、ユーザー対応の拡散符号の割り当てに影響しない利点がある。
【実施例２】
【００２３】
図３は、本発明の実施例２の説明図であり、図１と同一符号は同一名称部分を示し、２６はメモリ、２７は遅延回路を示す。この遅延回路２７は、アンテナ０，１，２対応に、キャリブレーション信号生成回路２３からのキャリブレーション信号を、異なる遅延時間で遅延させる遅延部Ｄ０，Ｄ１，Ｄ２を備えた場合を示す。キャリブレーション信号生成回路２３で生成されたキャリブレーション信号は、遅延回路２７によりアンテナ０，１，２対応に異なる遅延を与えられて、キャリブレーション信号加算回路１４に於いて、各アンテナ０，１，２から送信される送信信号に加算される。この時のアンテナ０，１，２対応の遅延差は１チップ（拡散）以上にすることが必要である。
【００２４】
これにより逆拡散するときに、アンテナ０，１，２毎の信号を識別することが可能となる。又受信無線回路１９に入力されたキャリブレーション信号を含んだ送信信号は、或る時間分だけメモリ２６に記憶される。キャリブレーション信号抽出回路２４は、時分割でキャリブレーション信号を含んだ送信信号から送信シンボルを抽出する。そして位相誤差検出回路２５に於いて、アンテナ０，１，２対応の送信無線回路１６に於ける位相回転量を算出し、位相補正回路１３に於いて補正する。又キャリブレーション信号生成回路２３からのキャリブレーション信号に対して振幅を調整する振幅調整回路（図示せず）を設けることも可能である。
【００２５】
この実施例２に於いても、前述の実施例１と同様の効果を有すると共に、キャリブレーション信号をアンテナ対応の送信信号に、遅延時間により識別できるように加算するものであるから、時分割的に加算する場合に比較して、連続的に加算するものであるから、位相補正周期を早くすることができる。これは、送信無線回路の位相変動が早い時に有利となる。
【実施例３】
【００２６】
図４は、本発明の実施例３の説明図であり、図１及び図３と同一符号は同一名称部分を示し、３０は送信レベル監視回路、３１は拡散長算出回路を示す。この送信レベル監視回路３０は、ユーザー信号多重部１２からのアンテナ０，１，２対応の送信信号のレベルを検出して、拡散長算出回路３１に入力する。キャリブレーション信号生成回路２３からのキャリブレーション信号の振幅値を固定値とすると、送信信号のレベルが変動する場合には、キャリブレーション信号のレベルが適切でなくなる。そこで、拡散長算出回路３１では、送信レベル監視回路３０で算出した送信信号のレベルを基に拡散長を算出する。拡散長の算出は、キャリブレーション信号抽出回路２４で逆算した後のキャリブレーション信号レベル（Ｓ）と送信信号のレベル（Ｉ）とによるＳＩＲが、キャリブレーション精度を満足する値になるように行う。
【００２７】
従って、前述の実施例１，２による効果と同様の効果が得られると共に、送信信号のレベルが変動しても、キャリブレーションの精度は保たれることになる。何故ならば、ＳＩＲが一定になるような拡散長を設定するからである。例えば、キャリブレーションの精度（位相誤差）をσ＝０．５６５２ｄｅｇとすると、送信レベルが１０ｄＢ上がると、キャリブレーション誤差σ＝５．６５２ｄｅｇとなり、位相誤差が１桁劣化することになるが、前述のように、送信レベルに対応して、キャリブレーション信号の拡散長を制御することにより、ＳＩＲをほぼ一定に維持することができる。
【実施例４】
【００２８】
図５は、本発明の実施例４の説明図であり、前述の各図と同一符号は同一名称部分を示し、３２は振幅値算出回路、３３は乗算器を示す。この実施例４は、ユーザー信号多重部１２からのアンテナ０，１，２対応の送信信号レベルを、送信レベル監視回路３０により算出し、その算出結果を基に振幅値算出回路３２により送信信号の振幅値を算出し、乗算器３３により、キャリブレーション信号抽出回路２４からのキャリブレーション信号の振幅値を制御する。例えば、キャリブレーション信号生成回路２３からのキャリブレーション信号の振幅値を固定値とすると、送信信号のレベルが変動する場合には、キャリブレーション信号のレベルが適切でなくなる。そこで、振幅値算出回路３２は、送信レベル監視回路３０で算出した送信信号のレベルを基に振幅値を算出する。この振幅値の算出は、キャリブレーション信号抽出回路２４で逆算した後のキャリブレーション信号レベル（Ｓ）と送信信号レベル（Ｉ）とによるＳＩＲが、キャリブレーション精度を満足する値になるように行うものである。
【００２９】
従って、前述の実施例１〜３による効果と同様の効果が得られると共に、送信信号のレベルが変動しても、キャリブレーションの精度は保たれることになる。何故ならば、ＳＩＲが一定になるように振幅値を設定するからである。例えば、キャリブレーションの精度（位相誤差）をσ＝０．５６５２ｄｅｇとすると、送信レベルが１０ｄＢ上がると、キャリブレーション誤差σ＝５．６５２ｄｅｇとなり、位相誤差が１桁劣化することになるが、前述のように、送信レベルに対応して、キャリブレーション信号の振幅値を制御することにより、ＳＩＲをほぼ一定に維持することができる。
【実施例５】
【００３０】
図６は、本発明の実施例５の説明図であり、前述の各図と同一符号は同一名称部分を示し、３４はキャリブレーション誤差監視部を示す。この実施例５は、図５に示す実施例４にキャリブレーション誤差監視部３４を付加した構成に相当する場合を示し、このキャリブレーション誤差監視部３４は、前述の他の実施例に対しても設けることは可能である。このキャリブレーション誤差監視部３４は、例えば、図示を省略した信号経路により、送信無線回路１６に於ける位相変動を検出し、アレーアンテナ送信装置の仕様より誤差が大きくなった場合に、キャリブレーション信号生成回路２６を起動して、アレーアンテナのキャリブレーションを行わせることができる。又はアダプティブアレー対象ユーザー毎の上りＴＰＣビットを処理することにより、下り送信電力を上げる方向に制御する必要が発生したことを検出した時に、送信の指向性が所望方向でなくなったと判定して、キャリブレーションを開始するように制御する構成とすることもできる。
【００３１】
図７は、図６に示す構成に於けるキャリブレーション処理の説明図であり、（ａ）はキャリブレーション起動信号、（ｂ）〜（ｅ）はキャリブレーション信号生成と送信信号への加算処理、（ｆ）〜（ｈ）はキャリブレーション検出処理、（ｉ），（ｊ）は位相検出処理を示すもので、前述のキャリブレーション誤差監視部３４により、（ａ）に示すタイミングでキャリブレーションが起動された場合に於いて、キャリブレーション信号生成回路２６は、（ｂ）に示すように、既知の送信情報シンボルに拡散符号を乗算して拡散処理したキャリブレーション信号ＣａｌＳｉｇを生成出力し、遅延回路２７の遅延部Ｄ０，Ｄ１，Ｄ２により遅延零を含む遅延処理により、（ｃ），（ｄ），（ｅ）に示すキャリブレーション信号ＣａｌＳｉｇ０，ＣａｌＳｉｇ１，ＣａｌＳｉｇ２として、キャリブレーション信号加算回路１４のアンテナ０，１，２対応の加算器に入力し、送信信号に対して加算する。この場合の遅延回路２７の遅延部Ｄ０，Ｄ１，Ｄ２の遅延時間差は、前述のように、アンテナ０，１，２対応に１チップ以上となるように設定するものである。
【００３２】
アンテナ０，１，２対応の送信無線回路１５，多重回路１６，受信無線回路１９等を含むフィードバックループのループ遅延後に、（ｆ）に示すアンテナ０，１，２対応のキャリブレーション信号ＣａｌＳｉｇ０，ＣａｌＳｉｇ１，ＣａｌＳｉｇ２が、時間多重された状態で、キャリブレーション信号抽出回路２４に入力されることになり、（ｇ）に示すキャリブレーション信号抽出用拡散符号により逆拡散処理し、（ｈ）に示すように、時間多重された送信シンボルＳｙｍｂｏｌ０，Ｓｙｍｂｏｌ１，Ｓｙｍｂｏｌ２として分離することができ、（ｉ）に示すように、位相誤差検出回路２５に於いて送信シンボルＳｙｍｂｏｌ０，Ｓｙｍｂｏｌ１を基に位相誤差検出を行い、位相誤差に対応したキャリブレーションウェイトＷ１０，Ｗ２０を求める。又（ｊ）は、位相検出処理のキャリブレーションウェイトタイミングを示す。
【００３３】
従って、送信指向性が希望方向からずれている状態を、例えば、前述のＴＰＣビットの検出等により判定した場合に於いてのみ、キャリブレーション信号を発生させて、アレーアンテナの校正を行うことにより、送信指向性の誤差を補正することができる。
【図面の簡単な説明】
【００３４】
【図１】本発明の実施例１の説明図である。
【図２】キャリブレーション処理の説明図である。
【図３】本発明の実施例２の説明図である。
【図４】本発明の実施例３の説明図である。
【図５】本発明の実施例４の説明図である。
【図６】本発明の実施例５の説明図である。
【図７】キャリブレーション処理の説明図である。
【符号の説明】
【００３５】
０，１，２  アンテナ
１０  ユーザー信号生成部
１１  ディジタルビームフォーマ（ＤＢＦ）
１２  ユーザー信号多重部
１３  位相補正回路
１４  キャリブレーション信号加算部
１５  ＤＡ変換器
１６  送信無線回路
１７  ディレクショナルカプラ
１８  多重回路
１９  受信無線回路
２０  ＡＤ変換器
２１  スケジューラー
２２  切替回路（ＳＷ）
２３  キャリブレーション信号生成回路
２４  キャリブレーション信号抽出回路
２５  位相誤差検出回路
【図１】
2006174333.tif 000003
【図２】
2006174333.tif 000004
【図３】
2006174333.tif 000005
【図４】
2006174333.tif 000006
【図５】
2006174333.tif 000007
【図６】
2006174333.tif 000008
【図７】
2006174333.tif 000009